(57)【要約】【課題】アドリブ演奏時に複数のコードに対応した音階を表示する際の視認性を向上させる。【解決手段】ケーデンス記憶部１０５に終結感を感じるコード進行であるケーデンスのパターンを記憶し、コード進行比較部１０６で進行しているコード進行と比較し、ケーデンスの終結感を感じるコードが次に来る場合は、次のコードの１度、５度の音を、終結感を感じないコードが次に来る場合は、次のコードの３度、７度の音を、その時点のコードに適した音階とともに表示する。【選択図】図１
2012013823.tif 000002
【特許請求の範囲】
【請求項１】
曲のコード進行を記憶するコード進行記憶部と、
前記コード進行記憶部より順次コードを取り出すコード進行管理部と、
コードと音階の関連を記憶するコード音階関連記憶部と、
ある時点で使われているコードに適した音階をコード音階関連記憶部から取得する現コード音階取得部と、
ある時点で使われているコードの次に使われる次コードに終結感があるか否かを判断する次コード終結感判断部と、
前記次コード終結感判断部において、前記次コードに終結感があると判断した場合には第１の音程を生成し、前記次コードに終結感がないと判断した場合には第２の音程を生成する誘導音程生成部と、
前記現コード音階取得部が取得した音階と、前記誘導音程生成部が生成した音程とを合成する合成部と、
前記合成部において合成した音階と音程を表示する表示部と、を備えた音階表示装置。
【請求項２】
前記次コード終結感判断部は、
終結感を感じることの多いコード進行であるケーデンスのパターンを記憶するケーデンス記憶部と、
前記コード進行管理部が取り出したコード列を記憶し、前記コード列が前記ケーデンス記憶部に記憶されたケーデンスのパターンと一致するか否かを判断するコード進行比較部と、からなる請求項１に記載の音階表示装置。
【請求項３】
前記第１の音程が、次コードのルート音からの音程が１度または５度のいずれか、もしくは１度および５度の双方であることを特徴とする請求項１、および請求項２に記載の音階表示装置。
【請求項４】
前記第２の音程が、次コードのルート音からの音程が３度または７度のいずれか、もしくは３度および７度の双方であることを特徴とする請求項１、および請求項２に記載の音階表示装置。
【発明の詳細な説明】
【技術分野】
【０００１】
本発明は楽器演奏時、特にアドリブ演奏時に使用する音階表示を行う音階表示装置に関するものである。
【背景技術】
【０００２】
従来の音階表示装置は、演奏中のある時点で使用する音階と、時系列上で次に使用する音階を同時に表示する際に、複数の系列の表示部を用いて表示している（例えば、特許文献１参照）。
【先行技術文献】
【特許文献】
【０００３】
【特許文献１】特開平９−２９２８７８号公報
【特許文献２】特許第３５７４６０３号公報
【特許文献３】特開平５−０１１６８６号公報
【非特許文献】
【０００４】
【非特許文献１】渡辺貞夫著、“ジャズ・スタディ”、昭和４６年２月１日、日音楽譜出版
【非特許文献２】潮先郁夫著、”コンテンポラリージャズギター1”、２００６年７月１９日、中央アート
【発明の概要】
【発明が解決しようとする課題】
【０００５】
特許文献１の図９に示された鍵盤楽器のように演奏のための手段として細長いキーが１次元上に並んでいる楽器を想定した表示では、複数の系列の表示部を並べて設けた場合でも視認することが容易であるが、弦楽器の場合は、複数の弦の複数の位置から一箇所、あるいは複数の箇所を選択し押さえることによって音程を決定する。このような操作系を持つ楽器では図３、図４に示すように、指板上の押さえる位置に記号を書くことによって音階を教示することが一般的に行われている。
【０００６】
このような弦楽器の音階表示は、直感的に指板上の音階を理解しやすいが、先行技術のように、複数の小節、あるいはコードにまたがって複数の音階を表示する際には、図５に示すように１つ１つの操作領域（１つの弦の２つのフレットの間）に２つ、あるいはそれ以上の系列の音階を表示すると、複数の系列の表示部が交互に存在し、前後関係の認識に問題を生ずる。これは、楽器の指板上に直接表示を行った場合にも、楽器とは別にディスプレイなどの表示装置を設けた場合にも同様に問題が生ずる。
【０００７】
また、同じ操作系（指板）上に複数の系列の表示部を設けず、分離した複数の表示部を設け、複数の音階、たとえば図３と図４に示す音階を別々の表示部に表示する場合には、対応する弦、フレットの関係を認識することが困難となり、次の音階へなめらかに移行することが困難となる。
【０００８】
本発明は、前記従来の課題を解決するもので、より視認性を向上させた音階表示装置を提供することを目的とする。
【課題を解決するための手段】
【０００９】
前記従来の課題を解決するために、本発明の音階表示装置は、  曲のコード進行を記憶するコード進行記憶部と、前記コード進行記憶部より順次コードを取り出すコード進行管理部と、コードとそのコードに適した音階の関連を記憶するコード音階関連記憶部と、ある時点で使われているコードに適した音階をコード音階関連記憶部から取得する現コード音階取得部と、ある時点で使われているコードの次に使われる次コードに終結感があるか否かを判断する次コード終結感判断部と、前記次コード終結感判断部において、前記次コードに終結感があると判断した場合には第１の音程を生成し、前記次コードに終結感がないと判断した場合には第２の音程を生成する誘導音程生成部と、前記現コード音階取得部が取得した音階と、前記誘導音程生成部が生成した音程とを合成する合成部と、前記合成部において合成した音階と音程を表示する表示部と、を備える。
【００１０】
本構成によって、終結感を持つコード進行の場合には終結感を持つ音程を、終結感を持たないコード進行の場合は終結感を持たない音程を表示する。
【発明の効果】
【００１１】
本発明の音階表示装置によれば、アドリブ演奏者に対してコード進行の終結感に応じた音程を表示して誘導することによって、アドリブ演奏者は曲想に合わせたアドリブ演奏を行うことが可能となる。
【図面の簡単な説明】
【００１２】
【図１】本発明の実施の形態における音階表示装置の構成図
【図２】コード進行の例を示す図
【図３】従来の音階表示装置を用いた場合の画面例を示す図
【図４】従来の音階表示装置を用いた場合の画面例を示す図
【図５】従来の音階表示装置を用いた場合の画面例を示す図
【図６】本発明の実施の形態における画面例を示す図
【図７】本発明の実施の形態における画面例を示す図
【図８】本発明の実施の形態におけるケーデンスの例を示す図
【図９】本発明の実施の形態における音階表示装置の動作を示すフローチャート
【図１０】本発明の実施の形態における代理コード群を示す図
【図１１】本発明の実施の形態における代理コード群を示す図
【図１２】本発明の実施の形態におけるケーデンスの例を示す図
【発明を実施するための形態】
【００１３】
以下、本発明を実施するための形態について、図面を参照しながら説明する。
【００１４】
図１は、本発明の実施の形態１における音階表示装置の構成図である。
【００１５】
図１において、コード進行記憶部１０１は曲のコード進行を記憶する。コード進行管理部１０２は時間の経過に従って、コード進行記憶部１０１より順次、次のコードとキーを取り出す。コード音階関連記憶部１０３は曲のキーとコードより、そのコードに適した音階を記憶する。現コード音階取得部１０４は、コード進行管理部１０２が取り出したコードとキーを記憶し、その時点でのコードに適した音階をコード音階関連記憶部１０３から抽出する。ケーデンス記憶部１０５は人間が終結感を感じることが多いコード進行であるケーデンスのパターンを記憶する。コード進行比較部１０６はコード進行管理部１０２が取り出したコード、およびキーを受け取り、順序を保って記憶し、そのコードの列がケーデンスのパターンと一致するか否かを判断する。誘導音程生成部１０７は、コード進行管理部１０２が抽出した次のコードに対応する誘導音程を生成する。誘導音程生成部１０７の生成方式については後述する。合成部１０８は現コード音階取得部１０４が取得した音階と、誘導音程生成部１０７が生成した音程を合成した画像を生成する。表示部１０９は合成部１０８が生成した画像を表示する。
【００１６】
コード進行のうち、ルート音が４度上に移動する進行をドミナントモーションと呼び、安定した自然なコード進行となるが、曲のキーの４度下の音がルート音となるコードから、曲のキーがルート音となるコードへの進行は、ルート音が曲のキーへ自然と移行することから、曲、あるいは曲の一部分が終了する感覚を聞くものに強く与える。このような、「曲、あるいは曲の一部分が終わった」という感覚を、終結感と呼ぶ。終結感は、上記のコード進行のみでなく、多種のコード進行から感じられるものであり、このようなコード進行のパターンをケーデンスと呼ぶ。
【００１７】
次に、コード音階関連記憶部１０３に記憶されるコードと音階の関連について述べる。曲のキーとコードより、アドリブ演奏に適した音階は決められる。この関連、および表示方法については、特許文献３に開示されている。また、関連については、Ａｖａｉｌａｂｌｅ  Ｎｏｔｅ  Ｓｃａｌｅとして、非特許文献２に詳述されている。
【００１８】
また、図２は本実施の形態で想定するコード進行の例を示す図である。
【００１９】
次に、図６、図７を用いて本実施の形態における表示画面を説明する。
【００２０】
図６、図７は楽器をギターとし、キーをＦ、コードをＢ♭とした場合の表示例である。６本の横線は１弦から６弦の各弦を表し、６弦の下方の数字４から８は、フレットの位置を示す。ここでは、各弦の音程は通常の音程であり、開放弦で１弦から６弦までそれぞれ、Ｅ、Ｂ、Ｇ、Ｄ、Ａ、Ｅとする。各弦の各フレットにおける音程は各開放弦から１フレット上がるごとに半音上昇する。
【００２１】
図６は、図２における２小節目のＢ♭のコードにおける音階（Ａｖａｉｌａｂｌｅ  Ｎｏｔｅ  Ｓｃａｌｅ）を○で、次のコードであるＣの、３度の音程を■で、７度の音程を★で表したものである。一般に、和音のルート音、つまり１度の音程の音は和音の基本となる音であり、単音で演奏した場合、安定感を与える。また、和音の５度の音程は、周波数のルート音との倍率が比較的単純であり、人間には濁った音と感じられず、安定感を与える。しかし、アドリブの途中で、この場合のようにコード進行がケーデンスではない、つまり終結感を感じない進行である時にそれらの音を使うとアドリブで演奏する旋律が、終了してしまう感覚を与えるにも関わらず、コード進行としては終結感を与えない場面であり、アドリブの旋律とコード進行の間にギャップが生じ、不自然な感覚を演奏を聞くものに与えてしまう。そのため、この場面では次のコードのＣに対して終結感を与えず、かつコードのＣの構成音に含まれる３度の音、ならびに、四声の和音で多く用いられる７度の音を表示することによって、次のＣのコードの先頭でそれら二つの音を使うようユーザを誘導する。
【００２２】
図７は図２における３小節目のＣのコードにおける音階（Ａｖａｉｌａｂｌｅ  Ｎｏｔｅ  Ｓｃａｌｅ）を○で、次のコードであるＦの、１度の音程を■で、５度の音程を★で表したものである。ここで、曲のキーがＦであり、Ｆ、Ｂ♭、Ｃ、Ｆの順にコードが遷移するコード進行がコード進行記憶部１０１に記憶されているものとする。コード進行比較部はこのコード進行をケーデンス記憶部１０５内のケーデンス群と順次比較し、３小節目では次のコードで終結感があると判断し、図６の場合とは逆に、終結感を感じる１度と５度の音程を、それぞれ、■と★で表示する。
【００２３】
次に、図８（ａ）から（ｅ）を用いて、ケーデンス記憶部１０５に記憶されるデータについて説明する。ケーデンス記憶部には、曲のキーと、そのキーにおいて人間が終結感を感じやすいコード進行のパターンを記憶する。図８（ａ）は、曲のキーがＦで、コードがＦ、Ｃ、Ｆの順に遷移するケーデンスであることを示している。このようなケーデンスのパターンは複数ある（例えば、非特許文献１参照）。そのため、代表的なものをあらかじめ設定しておく。図８（ａ）から（ｅ）は代表的なケーデンスであり、本実施の形態ではこの５種類のケーデンスをケーデンス記憶部１０５に記憶しておく。
【００２４】
なお、ケーデンスの判定については、特許文献２に詳述されている。
【００２５】
次に、図９を参照しながら、本実施の形態の動作について説明する。
【００２６】
図９は、本実施の形態における音階表示装置の動作を示すフローチャートである。まず、コード進行管理部１０２はコード進行記憶部１０１より曲のキーを取り出して記憶する（ステップＳ９０１）。次にコード進行管理部１０２は、コード進行記憶部１０１より、最初のコードを取り出す（ステップＳ９０２）。次に現コード音階取得部１０４は、コード音階関連記憶部１０３より、コード進行管理部１０２から得た現在のコードに適した音階を取り出す（ステップＳ９０３）。次にコード進行管理部１０２は、コード進行記憶部１０１から次のコードを取得する（ステップＳ９０４）。次にコード進行比較部１０６はコード進行管理部１０２から受け取った次のコードを記憶し、過去に受け取ったコードの列と合わせて、コードの列を生成する（ステップＳ９０５）。次にコード進行比較部１０６は、ケーデンス記憶部１０５が記憶しているケーデンスと、ステップＳ９０５で作成したコードの列を比較する（ステップＳ９０６）。次にコード進行比較部１０６は、コード進行と一致するケーデンスがあるか否かを判断する（ステップＳ９０７）。もし、一致するケーデンスがある場合は、誘導音程生成部１０７は次のコードの１度、５度の音程を設定し（ステップＳ９０８）ステップＳ９１０へ進む。もし、一致するケーデンスがない場合は、誘導音程生成部１０７は次のコードの３度、７度の音程を設定し（ステップＳ９０９）、ステップＳ９１０へ進む。次に、合成部１０８は、現コード音階取得部１０４が生成した音階と、誘導音程生成部１０７が生成した音程を表示する画像を合成する（ステップＳ９１０）。次に、表示部１０９は、合成部１０８が合成した画像を表示する（ステップＳ９１１）。次に、コード進行管理部１０２は、次のコードが始まる時刻まで待つ（ステップＳ９１２）。次にコード進行管理部１０２は、コード進行記憶部１０１に曲の最後であるか否かを問合せ、曲の最後であれば動作を終了し、曲の最後でなければステップＳ９０３に戻り動作を繰り返す（ステップＳ９１３）。
【００２７】
かかる構成によればケーデンス記憶部１０５と、コード進行比較部１０６と、誘導音程生成部１０７を設け、合成部１０８によって音階表示の画像と合成し表示することにより、コード進行の終結感に沿った、次のコードで使用すべき少数の音程を提示することが可能となり、演奏者に対して、視認性を向上させ、かつ自然な演奏を可能とする音階、音程を表示することができる。
【００２８】
なお、図８（ａ）から（ｅ）では、代表的なケーデンスの例を示したが、コードには主要なコードの代わりに利用できる代理コードが存在する。図１０は、主要な代理コードを示した表である。図１０では、具体的なルート音の代わりに、ルート音からの音程をギリシャ数字で表示する記法を用いている。この図８（ａ）から（ｅ）のケーデンスに対し、この表を加味して代理コードを利用した場合のケーデンスを検出することも可能であり、その場合は、より多くのケースで正確に演奏者や聴衆が終結感を感じるコード進行を検出し、その検出結果に適した、誘導音程の表示を行うことができる。
【００２９】
また、これまでの説明では、曲のキーが長調の場合を説明したが、短調の場合には、図１１に示すコードを、それぞれ、Ｔｏｎｉｃ (図８（ａ）から（ｅ）におけるI)、 Ｓｕｂ Ｄｏｍｉｎａｎｔ（図８（ａ）から（ｅ）におけるIV)、Ｄｏｍｉｎａｎｔ (図８（ａ）から（ｅ）におけるV)のコードの代わりに用いる。この表中のコードがコード進行中に出現した際には、それぞれのコードをI、IV、Vとして解釈し、ケーデンスを判定すればよい。
【００３０】
また、図８（ａ）から（ｅ）では基本的なケーデンスのパターンを示したが、その他にも、偽終止（Ｄｅｃｅｐｔｉｖｅ  Ｃａｄｅｎｃｅ）と呼ばれるケーデンスの種類がある。この偽終止のパターンを図１２に示す。このパターンにおいて、最初のV7から、次のコードへの移行時にも、一時的に他のキーに直行し、あたかもそのキーで終止するような感覚を与え、終結感を感じる。このパターンをケーデンス記憶部１０５に記憶し、コード進行記憶部１０１より、必要な数のコードを先行して読み出すことによって、偽終止を検出することが可能となる。また、偽終止における終結感を感じるコードの位置を判定することが可能となり、その結果を誘導する音程の判定に用いることが可能である。
【００３１】
また、図６、図７では、次のコードでの誘導する音程を■、★で表示したが、この表示の大きさや、色、明滅などの視覚的要素を変化させ、その時点でのコードに適した音程との区別をし、視認性の向上を図ることも可能である。
【産業上の利用可能性】
【００３２】
本発明にかかる音階表示装置は、視認性を向上させたアドリブ時に使用すべき音程の表示が可能になるので、楽器演奏時の教示装置等として有用である。
【符号の説明】
【００３３】
１０１    コード進行記憶部
１０２    コード進行管理部
１０３    コード音階関連記憶部
１０４    現コード音階取得部
１０５    ケーデンス記憶部
１０６    コード進行比較部
１０７    誘導音程生成部
１０８    合成部
１０９    表示部
１１０    次コード終結感判断部
【図１】
2012013823.tif 000003
【図２】
2012013823.tif 000004
【図３】
2012013823.tif 000005
【図４】
2012013823.tif 000006
【図５】
2012013823.tif 000007
【図６】
2012013823.tif 000008
【図７】
2012013823.tif 000009
【図８】
2012013823.tif 000010
【図９】
2012013823.tif 000011
【図１０】
2012013823.tif 000012
【図１１】
2012013823.tif 000013
【図１２】
2012013823.tif 000014